(57)【特許請求の範囲】
【請求項１】
洗浄槽と、前記洗浄槽の底部に洗浄水を噴射するノズルと、前記洗浄槽内に配され食器類を収納するカゴを備え、前記カゴに前記食器類の下方の端部と、外周側で前記端部より上方の壁面を支えることによって支持する第１の支持部と第２の支持部を所定のピッチを有して設け、前記第１の支持部は上方向に突出する同じ形状の複数の突起部を配置し、前記第２の支持部は、上方向に突出し前記第１の支持部の突起部より高さが低い複数の第１の突起部と、上方向に突出し前記第１の突起部より高さの低い複数の第２の突起部とを含み、かつ前記第１の突起部と前記第２の突起部を交互に複数配置した食器洗い機。
【請求項２】
第１の支持部の突起部と、第２の支持部の第１の突起部と第２の突起部の形状を、複数の前記突起部の並び方向から見て、略階段形状とした請求項１に記載の食器洗い機。
【請求項３】
突起部と、第１の突起部及び第２の突起部の先端形状を、略Ｕ形状または略Ｐ形状とした請求項１又は２に記載の食器洗い機。
【請求項４】
洗浄槽は前方に開口部を有し、第１の支持部を、第２の支持部より後方に位置させた請求項１〜３のいずれか１項に記載の食器洗い機。
【発明の詳細な説明】
【技術分野】
【０００１】
本発明は、カゴにセットした食器類に洗浄水を噴射して洗浄する食器洗い機に関するものである。
【背景技術】
【０００２】
従来の、一般的な食器洗い機は、図４〜６に示されるように構成されていた（例えば、特許文献１参照）。
【０００３】
以下に、上記従来の食器洗い機の構成について説明する。図４〜６において、従来の食器洗い機は、前面に開口部１ａをもつ洗浄槽１と、開口部１ａを開閉する扉２と、洗浄槽１の底部中央に回転自在に設けられ洗浄水を噴射するノズル３と、洗浄槽１内に設けられ食器類１０を収容するための上段カゴ４と下段カゴ５から構成されている。
【０００４】
扉２を開けているときには、下段カゴ５は、扉２と洗浄槽１との間を前後方向に引き出し移動可能である。上段カゴ４は、洗浄槽１内の壁面に設けられ前後方向に移動可能なレール部６によって支持されている。また、下段カゴ５上の中央付近には小物入れ７が固定されており、洗浄槽１の底部には、洗浄水をお湯にするときなどに使用されるヒータ８が設けられ、洗浄槽１の下部の外側に洗浄ポンプ９が設けられている。
【０００５】
なお、食器類１０は、上段カゴ４、下段カゴ５にセットされ、小物入れ７にスプーン、フォーク等のカトラリーの小物類１１がセットされ、洗浄槽１内の下部には、排水口１２が設けられている。
【０００６】
また、図５は、棒状の線材で構成された従来の上段カゴ４の食器類１０がセットされるセット部４ａの部分拡大図である。上段カゴ４のセット部４ａは、左右方向に長い線材１３と、線材からなり、線材１３に下端が固定された上下方向に長い突起部１４の列とで構成され、左右に２列設けた構成となっている。
【０００７】
左右の突起部１４の長さはほぼ同じで、しかも図５に示すように扇状に広がっている。食器類１０の支持は、図４に示すように、突起部１４の下部で食器類１０の下方の端部を支持し、突起部１４の上部で食器類１０の上方の壁面を支えている。
【０００８】
図６は、上段カゴ４に各種食器類１０をセットした場合のセット状態を示している。
【０００９】
ここで上記従来の食器洗い機の動作について説明する。先ず、扉２を開いて、扉２上に下段カゴ５を引き出して、食器類１０と、小物入れ７に小物類１１をセットする動作と、上段カゴ４を前方に引き出して食器類１０をセットする動作を行う。そして、運転を開始すると、洗浄槽１内の洗浄水は、ヒータ８によって温水化され、洗浄ポンプ９にて洗浄槽１内の排水口１２から吸い込まれ、ノズル３に圧送され、ノズル３から勢いよく噴射される。なお、ノズル３は回転しながら、洗浄水を噴射する。このようにして、上段カゴ４、下段カゴ５にセットされた食器類１０、小物入れ７にセットされた小物類１１が洗浄されるものである。
【特許文献１】特開２００４−３２１２８３号公報
【発明の開示】
【発明が解決しようとする課題】
【００１０】
しかしながら、上記従来の食器洗い機のカゴは、以下のような課題があった。従来の棒状の線材から構成された上段カゴ４に食器類をセットするときは、上下方向に長い左右の突起部１４を扇状に広げて食器類１０を支持していた。また、少しでも、食器類１０を多くセットするために、突起部１４のピッチは、セットする食器類１０の深さに合わされていた。そのため、深さの大きく違う食器類１０は、同じ突起部１４でセットできなかった。
【００１１】
例えば、深さの大きく違う、皿類と丼などの碗類などである。一般的に良く用いられる皿類１０ａの深さは約３０ｍｍであり、丼１０ｂなどの碗類の深さは約８０ｍｍである。そのため、図６の（ａ）図に示すように、皿類１０ａの深さに突起部１４のピッチを合わせると、図６（ｂ）図に示すように、丼１０ｂなどの碗類が突起部１４と突起部１４の間に入らず、セットできない。逆に、丼１０ｂなどの碗類の深さに突起部１４のピッチを合わせると、図６（ｃ）に示すように皿類１０ａが後方に倒れ上手くセットできないという問題が生じる。
【００１２】
また、上記従来の食器洗い機に見られるように、突起部１４が同じ高さでは、丼１０ｂのような深い食器類１０の場合、左右方向にずらそうとしても、丼１０ｂは突起部１４と突起１４部の間にあるので、突起部１４がストッパーになり、食器類１０の位置を左右方向にずらすことはできない。また、突起部１４の高さを、単に前後方向で異なる高さにするだけでは、皿類１０ａのような浅い食器類１０を並べてセットすると、セット時の姿勢が変わってくるので、皿類１０ａが前後方向で干渉するという問題が生じるものである。
【００１３】
また、突起部１４の高さを洗浄槽１の前方で低く、後方で高くするだけでは、丼１０ｂのような深い食器類１０の場合、後方の突起部１４だけでしか、支持できなくなるので、食器類１０のセット時の安定性が悪い。
【００１４】
また、セット時の食器類１０の安定性を高めるために、左右の突起部１４を上下方向に長くしているので、従来の上段カゴ４は、食器類１０をセットしようとする時、突起部１４に当り、セットし難いという課題もあった。又、この接触により、食器類１０を突起部１４の先端で傷つけてしまうという課題もあった。
【００１５】
本発明は上記従来の課題を解決するもので、食器類のセットがしやすく、深さの大きく違う食器類、皿類も、丼などの碗類も同じ突起部でセットできる食器カゴを備えた食器洗い機を提供することを目的としている。
【課題を解決するための手段】
【００１６】
上記従来の課題を解決するために、本発明の食器洗い機は、洗浄槽と、前記洗浄槽の底部に洗浄水を噴射するノズルと、前記洗浄槽内に配され食器類を収納するカゴを備え、前記カゴに前記食器類の下方の端部と、外周側で前記端部より上方の壁面を支えることによって支持する第１の支持部と第２の支持部を所定のピッチを有して設け、前記第１の支持部は上方向に突出する同じ形状の複数の突起部を配置し、前記第２の支持部は、上方向に突出し前記第１の支持部の突起部より高さが低い複数の第１の突起部と、上方向に突出し前記第１の突起部より高さの低い複数の第２の突起部とを含み、かつ前記第１の突起部と
前記第２の突起部を交互に複数配置したもので、皿類などの浅い食器類は、第１の支持部の突起部と、第２の支持部の第１又は第２の突起部の根元で食器類の下方の端部を支持し、第１の支持部の突起部の上方で、点接触で、食器類の外周側の上方の壁面を支えることによりセットでき、また、丼などの深い食器類は、第１の支持部の突起部と第２の支持部の第１の突起部の側面で食器類の下方端部を支持し、その後方にある第１の突起部より低い第２の突起部で食器類の壁面を支持し、更に後方の第２の支持部の第１の突起部で、点接触で食器類の外周側の上方の壁面を支えることにより食器類をセットできるものである。なお、食器類の深さが深く、第１の支持部の突起部のピッチに食器類が入らないような深い食器類の場合も、第２の支持部の方に食器類がずれて、食器類を支持することができるもので、深さの大きく異なる食器類、皿類、丼などの碗類も同じ突起部で容易にセットできる食器洗い機を提供することができる。
【発明の効果】
【００１７】
本発明の食器洗い機は、深さの大きく違う食器類、皿類、丼などの碗類も同じ突起部で容易にカゴにセットできるものである。
【発明を実施するための最良の形態】
【００１８】
第１の発明は、洗浄槽と、前記洗浄槽の底部に洗浄水を噴射するノズルと、前記洗浄槽内に配され食器類を収納するカゴを備え、前記カゴに前記食器類の下方の端部と、外周側で前記端部より上方の壁面を支えることによって支持する第１の支持部と第２の支持部を所定のピッチを有して設け、前記第１の支持部は上方向に突出する同じ形状の複数の突起部を配置し、前記第２の支持部は、上方向に突出し前記第１の支持部の突起部より高さが低い複数の第１の突起部と、上方向に突出し前記第１の突起部より高さの低い複数の第２の突起部とを含み、かつ前記第１の突起部と前記第２の突起部を交互に複数配置したもので、皿類などの浅い食器類は、第１の支持部の突起部と、第２の支持部の第１又は第２の突起部の根元で食器類の下方の端部を支持し、第１の支持部の突起部の上方で、点接触で、食器類の外周側の上方の壁面を支えることによりセットでき、また、丼などの深い食器類は、第１の支持部の突起部と第２の支持部の第１の突起部の側面で食器類の下方端部を支持し、その後方にある第１の突起部より低い第２の突起部で食器類の壁面を支持し、更に後方の第２の支持部の第１の突起部で、点接触で食器類の外周側の上方の壁面を支えることにより食器類をセットできるものである。なお、食器類の深さが深く、第１の支持部の突起部のピッチに食器類が入らないような深い食器類の場合も、第２の支持部の方に食器類がずれて、食器類を支持することができるもので、深さの大きく異なる食器類、皿類、丼などの碗類も同じ突起部で容易にセットできる食器洗い機を提供することができる。
【００１９】
第２の発明は、特に、第１の発明の第１の支持部の突起部と、第２の支持部の第１の突起部と第２の突起部の形状を、複数の前記突起部の並び方向から見て、略階段形状としたもので、丼などの碗類の深い食器類も、皿類などの浅い食器類も、形状にかかわらず、食器類の外周面の形状に沿い、糸底付近を逃がし、後方の支持を食器類の外周側の上方の壁面で行うことができるようになる。
【００２０】
第３の発明は、特に、第１又は第２の発明の突起部と、第１の突起部及び第２の突起部の先端形状を、略Ｕ形状または略Ｐ形状としたもので、突起部の先端が丸みを帯びているので、食器類が突起部と接触しても、食器類に傷がつき難くなるものである。
【００２１】
第４の発明は、特に、第１〜３のいずれか一つの発明の洗浄槽は前方に開口部を有し、第１の支持部を、第２の支持部より後方に位置させたもので、使用者が洗浄槽の前方からカゴに食器類をセットするとき、食器類を、突起部と突起部の間に入れる必要があるが、手前の第１、第２の突起部が低いので、それらに食器類が当り難くなり、後方の突起部の間に入れ易くなる。しかも、カゴの奥の食器類のセット位置も見やすい。よって、従来のカゴのように使用者がカゴに食器類をセットするとき、食器類が突起部に当りセットし難いという問題は起こり難い。よって、食器類のセット性が一層向上するものである。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における食器洗い機の側断面図、図２は、同食器洗い機の上段カゴの部分斜視図である。なお、上記従来例と同一部分については、同一符号を付してその説明を省略する。
【００２４】
図１、２において、本実施の形態における食器洗い機は、前方に開口部１ａを有する洗浄槽１を備え、洗浄槽１内には、棒状の線材で構成され食器類１０を収納する上段カゴ１５と、下段カゴ５が設けられている。
【００２５】
本実施の形態における上段カゴ１５は、上方向に突出する複数の突起部１６ａを有する第１の支持部１６と第２の支持部１７から構成され、第２の支持部１７は、突起部１６ａより高さが低く所定高さの複数の第１の突起部１７ａと、第１の突起部１７ａと交互に配されると共に前記第１の突起部１７ａの高さより低い第２の突起部１７ｂから構成されている。
【００２６】
なお、第１の支持部１６の突起部１６ａと、第２の支持部１７の第１の突起部１７ａと、第２の突起部１７ｂの形状を、図１に示すように、複数の突起部１６ａ、１７ａ、１７ｂの並び方向から見て、階段形状とし、第１の支持部１６の突起部１６ａの先端形状を階段形状の上方より下方に折り返される略Ｕ形状とし、第２の支持部１７の第１の突起部１７ａと第２の突起部１７ｂの先端形状を階段形状の上方より下方に折り返して、先端がほぼ閉じている略Ｐ形状とし、さらに、第１の支持部１６を第２の支持部１７より洗浄槽１の後方に位置するように構成している。
【００２７】
以上のように構成された食器洗い機の上段カゴ１５の動作について図３を用いて説明する。
【００２８】
皿類１０ａなどの浅い食器類１０をセットするときは、図３（ａ）に示すように、第１の支持部１６の突起部１６ａと、第２の支持部１７の第１の突起部１７ａまたは第２の突起部１７ｂの根元で、皿類１０ａの下方の端部を支持し、その後方の第１の支持部１６の突起部１６ａで、点接触で、皿類１０ａの外周側の壁面を、前方の第２の支持部１７より上方で支えている。
【００２９】
また、丼などの深い食器類１０ｂをセットするときは、突起部１６ａと第１の突起部１７ａの側面で丼１０ｂの下方の端部を支持し、その突起部１６ａと第１の突起部１７ａより後方にある第２の突起部１７ｂで、前方にある突起部１６ａと第１の突起部１７ａで支持する部分より上方で、丼１０ｂの外周壁面を支持し、その第２の突起部１７ｂより更に後方にある第１の突起部１７ａで、点接触で、丼１０ｂの外周側の壁面の、前方の第２の突起部１７ｂが支持する部分より更に上方の位置を支えている。
【００３０】
なお、丼１０ｂのように、深さが深く、第１の支持部１６の突起部１６ａのピッチに丼１０ｂが入らない場合でも、第２の支持部１７の方に丼１０ｂがずれて、支持できるものである。よって、深さの大きく違う皿類１０ａも、丼１０ｂなどの碗類も同じ突起部１６ａ、１７ａ、１７ｂでセットできる食器カゴを提供できるものである。
【００３１】
一般的に、食器類１０の支持は、食器類１０の下方の端部と、その後方で、食器類１０の外周側の上方の壁面を支えることによって支持されるが、丼１０ｂなどの碗類の深い食器類１０の場合、支持部のピッチが狭いと、外周側の壁面を支えることができず、内側の糸底付近の壁面を支えることになる。よって、深い食器類１０の支持が安定せず、前傾してしまう。本実施の形態は、丼１０ｂなどの碗類の深い食器類１０も、皿類などの浅い食器類１０も外周側の壁面の位置は、ほぼ同じであることに着目し、後方での支持を、突起部１６ａ、１７ａ、１７ｂを階段形状にすることにより、食器類１０の外周面の形状に沿い、糸底付近を逃がし、後方の支持を食器類１０の外周側の上方の壁面で支持できるようにしたものである。故に、一層深さの深い食器類１０、浅い食器類１０のセットがし易くなるものである。
【００３２】
また、従来の棒状の線材からなる突起部１４では、先端形状がエッジ状になっているため、使用者が食器類１０をカゴにセットしようとする時、突起部１４と食器類１０の接触により、傷つきが生じていたが、本実施の形態では、突起部１６ａ、１７ａ、１７ｂのそれぞれの先端が略Ｕ形状、略Ｐ形状で丸みを帯びているので、食器類１０が突起部１６ａ、１７ａ、１７ｂと接触しても、食器類１０が傷つき難くなるものである。
【００３３】
なお、本実施の形態では、洗浄槽１の前方の第２の支持部１７の突起部１７ａ、１７ｂの先端が略Ｐ形状で、後方の第１の支持部１６の突起部１６ａを略Ｕ形状としたが、略Ｐ形状、略Ｕ形状とも同じ効果を持つのでどちらを用いても同じ効果があるものである。
【００３４】
また、使用者が洗浄槽１の前方から上段カゴ１５に食器類１０をセットするとき、食器類１０のセットは、突起部１６ａと、第１、第２の突起部１７ａ、１７ｂの間に食器類１０を入れる必要があるが、手前の第２の支持部１７の突起部１７ａ、１７ｂが低いので、手前の突起部１７ａ、１７ｂに食器類１０が当り難いので、後方の第１の支持部１６の突起部１６ａの間に入れ易い。しかも、食器類１０のカゴ奥のセット位置も見やすい。よって、従来のカゴのように使用者がカゴに食器類１０をセットするとき、食器類１０が突起部に当りセットし難いという問題は起こり難い。よって、食器類１０のセット性が一層向上するものである。
【００３５】
なお、本実施の形態では、第１の支持部１６と、突出代の異なる第１、第２の突起部１７ａ、１７ｂを有する第２の支持部１７を、上段カゴ１５に設けたが、下段カゴ５に設ければ、上段カゴ１５と同等の効果が得られるものである。
【００３６】
以上のように本実施の形態によれば、食器類１０のセットがしやすく、深さの大きく違う食器類１０、皿類１０ａ、丼１０ｂなどの碗類も同じ突起部でセットできる食器洗い機を提供することができるものである。
【産業上の利用可能性】
【００３７】
以上のように、本発明に係る食器洗い機は、簡単な構成で、深さが大きく異なる食器類を同じ突起部でセットでき、食器類のセット性が著しく向上するもので、家庭用、業務用の食器洗い機に広く適用できる。
【図面の簡単な説明】
【００３８】
【図１】本発明の実施の形態１における食器洗い機の側断面図
【図２】同食器洗い機の上段カゴの部分斜視図
【図３】（ａ）同食器洗い機の上段カゴに皿類をセットした状態を示す図（ｂ）同上段カゴに丼をセットした状態を示す図
【図４】従来の食器洗い機の側断面図
【図５】同食器洗い機の上段カゴのセット部の拡大斜視図
【図６】（ａ）〜（ｄ）同食器洗い機の各種食器類のセット状態を示す図
【符号の説明】
【００３９】
５  下段カゴ（カゴ）
１０  食器類
１５  上段カゴ（カゴ）
１６  第１の支持部
１６ａ  突起部
１７  第２の支持部
１７ａ  第１の突起部
１７ｂ  第２の突起部
【図１】
0004595792.tif 000002
【図２】
0004595792.tif 000003
【図３】
0004595792.tif 000004
【図４】
0004595792.tif 000005
【図５】
0004595792.tif 000006
【図６】
0004595792.tif 000007